(57)【要約】【課題】データキャリアを容易に着脱可能にし、手首装着時には外れにくいデータキャリア用リストバンドを提供することを目的とする。【解決手段】可撓性の帯状バンド２と一体にデータキャリア収納部３およびキー収納部４とを設け、そのデータキャリア収納部３には、横方向にデータキャリア７の直径より小さな幅のデータキャリア挿入口８と、その反対側にデータキャリア押出用穴９と、データキャリア挿入口８の手前には突起部１１を有する。データキャリア７を脱着するときは、キー１４をキー収納部４より取り出して突起部１１をキー収納部４の側に屈曲させ、挿入時は、データキャリア挿入口８を押し広げながらデータキャリア７を押し込み、取り出すときは、データキャリア押出用穴９より押し出して取り出す。キー１４をキー収納部４に収納することで、突起部１１は容易に屈曲できず、データキャリア７の脱落を防止できる。【選択図】　　　　図１
2004016303.tif 000002
【特許請求の範囲】
【請求項１】
データキャリアを保持するデータキャリア用リストバンドにおいて、
可撓性の帯状バンドと一体に形成され、前記帯状バンドの短手方向の一方に前記データキャリアの直径より小さな開口幅の挿入口を持ったデータキャリア収納部を備えていることを特徴とするデータキャリア用リストバンド。
【請求項２】
前記データキャリア収納部は、前記挿入口とは反対側に、データキャリア押し出し用の穴を有することを特徴とする請求項１記載のデータキャリア用リストバンド。
【請求項３】
前記データキャリア収納部は、前記挿入口の近傍に、収納時の前記データキャリアの外周に沿うように配置して前記データキャリアの脱落を防止する突起部を有していることを特徴とする請求項１または２記載のデータキャリア用リストバンド。
【請求項４】
前記データキャリア収納部と重なった状態で一体に形成されたキー収納部を備えていることを特徴とする請求項１記載のデータキャリア用リストバンド。
【請求項５】
前記キー収納部は、前記データキャリア収納部の前記挿入口がある側の先端付近にキーを旋回可能に固定するキー固定具と、前記キー固定具とは反対側の円弧状辺縁部の中央付近にのみ前記帯状バンドと連結するよう一体に形成されたキー収納部底面壁とを有することを特徴とする請求項４記載のデータキャリア用リストバンド。
【請求項６】
前記キー収納部底面壁は、前記キー固定具を中心とした前記キー収納部内での旋回時に前記キーの自由端が前記円弧状辺縁部に向いている範囲内では前記キーが隠れるような形状を有していることを特徴とする請求項５記載のデータキャリア用リストバンド。
【請求項７】
前記データキャリア収納部および前記キー収納部と前記帯状バンドとの連結部付近に剛性軽減用の複数の貫通穴を設けたことを特徴とする請求項４記載のデータキャリア用リストバンド。
【発明の詳細な説明】
【０００１】
【発明の属する技術分野】
本発明はデータキャリア用リストバンドに関し、特にロッカーキーなどのキーおよびこのキーの使用者に関するデータが記録されたデータキャリアを保持するデータキャリア用リストバンドに関する。
【０００２】
【従来の技術】
従来より、レジャー施設内などにおいては、ロッカーキーを収納して手首に巻き付けるようにしたリストバンドが使用されている。たとえばプールを利用する場合には、手荷物などをロッカーに収納した後、リストバンドに内蔵されたキーを使ってロッカーを施錠し、施錠後は、キーをリストバンドに収納し、そのリストバンドを手首などに装着した状態でプールを利用する。
【０００３】
図８は従来のリストバンドのキー収納部を例示する部分斜視図、図９はキーの収納状態を示す断面図である。
リストバンド１００は、長手方向両端側が図示を省略して示した可撓性の帯状バンド１０１と、その中央部に設けられたキー収納部１０２とを有している。このキー収納部１０２は、横方向の一端が連結部１０３によって閉止され、他端が開放されて袋状に形成されている。この連結部１０３は、旋回時におけるキー１０４の先端の移動軌跡に沿って弧状に形成されている。キー１０４は、他端側に突設されたキー収納部１０２の突設部に設けられるキー固定具１０５によって旋回可能に固定されている。
【０００４】
キー１０４を使用するときには、キー固定具１０５を中心にキー１０４を旋回させてキー収納部１０２より取り出し、使用後は、同様にキー固定具１０５を中心にキー１０４を回動することによってキー収納部１０２に収納する。
【０００５】
このリストバンド１００は、図９の断面図から明らかなように、キー収納部１０２が帯状バンド１０１とその上に一体に形成された上面部とを帯状バンド１０１の長手方向に沿って弧上に長く連結されている。そのため、この連結部分は、その構造上、このキー収納部１０２の屈曲性が悪いため、手首に装着したときのフィット感に問題がある。
【０００６】
図１０は従来のリストバンドのキー収納部を別の構成例を示す部分平面図である。
このリストバンドは、袋状の上記のキー収納部１０２が持つフィット感の悪さを改善したもので、このキー収納部１０２ａは、帯状バンド１０１の短手方向の一端、図では右端にて帯状バンド１０１と帯状の上面壁とを連結部１０３で連結し、その反対側の端にてキー１０４を、帯状バンド１０１と上面壁とによって挟むようにしてキー固定具１０５により固定している。
【０００７】
この帯状のキー収納部１０２ａは、厚みのある部分、すなわち帯状バンド１０１と帯状の上面部との連結部１０３を小さく、すなわち帯状バンド１０１の長手方向の連結部１０３の長さを短くすることにより、屈曲性が良くなり、手首になじみやすくすることができる。
【０００８】
以上のようなロッカーキーに加えて、データの入出力が可能なデータキャリアを収納し、そのデータキャリアに施設の利用データなどを記録しておき、施設の利用終了時に、その利用データを読み出すことで、施設利用料金を後でまとめて清算するということを可能にしたリストバンドも知られている。このようなデータキャリアを有するリストバンドとして、特開平８−２２８９０８号公報に記載のものがある。
【０００９】
図１１は従来のデータキャリアを有するリストバンドの一例を示す分解斜視図である。
このリストバンド１１０は、可撓性の帯状バンド１１１の中央部にキー収納部１１２とデータキャリア収納部１１３とを重ねた状態で構成され、これら帯状バンド１１１、キー収納部１１２およびデータキャリア収納部１１３は、合成樹脂で一体成型されている。キー収納部１１２およびデータキャリア収納部１１３には、同一方向に開口した開口部を有し、これらの開口部からキー１１４およびデータキャリア１１５を挿入した後、キー固定具１１６でキー１１４を旋回可能に固定するとともに両方の開口部を封止して、キー１１４およびデータキャリア１１５の脱落を防止するようにしている。
【００１０】
【発明が解決しようとする課題】
しかしながら、従来のリストバンドでは、データキャリアの脱落防止のために、データキャリア収納部がデータキャリアを容易に着脱することができない構造をしており、たとえば利用者に貸し出す度にデータキャリアを交換するといった運用をすることができないという問題点があった。
【００１１】
また、袋状に構成されたキー収納部を一体成型で製作したリストバンドは、キー収納部が帯状バンドに比べて厚みがあって剛性があるため、曲がりづらくなっており、したがって、手首に装着してもなじまないため、装着感が悪いという問題点があり、さらに、帯状のキー収納部では、収納されるキーが少しでも動くとはみ出てしまうため、キーで怪我をしたり、サウナでは直接肌に触れて火傷をしてしまう危険性があるという問題点があった。
【００１２】
本発明はこのような点に鑑みてなされたものであり、データキャリアを容易に着脱可能にし、しかも、手首装着時には外れにくいデータキャリア用リストバンドを提供することを目的とする。
【００１３】
本発明は、また、手首になじみやすく、キーによる怪我や火傷の心配のない一体成型形のデータキャリア用リストバンドを提供することを目的とする。
【００１４】
【課題を解決するための手段】
本発明では上記問題を解決するために、データキャリアを保持するデータキャリア用リストバンドにおいて、可撓性の帯状バンドと一体に形成され、前記帯状バンドの短手方向の一方に前記データキャリアの直径より小さな開口幅の挿入口を持ったデータキャリア収納部を備えていることを特徴とするデータキャリア用リストバンドが提供される。
【００１５】
このようなデータキャリア用リストバンドによれば、データキャリアの直径より小さな開口幅の挿入口を有しているので、データキャリアをデータキャリア収納部に収納するときには、挿入口を押し広げながらデータキャリアを押し込むことで行うことができる。
【００１６】
また、本発明では、データキャリア収納部の挿入口とは反対側に、データキャリア押し出し用の穴を設けた。これにより、データキャリアをその穴から押し出すことで、データキャリアをデータキャリア収納部から容易に取り出すことができる。
【００１７】
本発明では、データキャリア収納部の挿入口の近傍にデータキャリアの外周に沿うように突起部を配置した。これにより、収納されているデータキャリアをデータキャリア収納部から不用意に飛び出てしまうのを防止することができる。
【００１８】
また、本発明は、データキャリア収納部と重なった状態でキー収納部を一体に形成するようにした。これにより、キー収納部にキーを収納した状態では、突起部の剛性が高まるため、突起部を屈曲させることができなくなり、手首に装着しているときには、データキャリア収納部からデータキャリアが脱落するのを確実に防止することができる。
【００１９】
また、本発明では、キー収納部のキー収納部底面壁を収納キーの旋回時にキーの自由端がキーを旋回自在に固定しているキー固定具と反対側の円弧状辺縁部に向いている範囲内ではキーが隠れるような形状を有するようにした。これにより、キーがキー収納部内で多少動いたとしても、キー収納部からはみ出ることはないため、キーによる怪我や火傷の心配をなくすことができる。
【００２０】
さらに、本発明では、データキャリア収納部およびキー収納部と帯状バンドとの連結部付近に複数の貫通穴を設けるようにした。これにより、その部分の剛性を大幅に軽減させることができるので、装着時のフィット感を大きく改善することができる。
【００２１】
【発明の実施の形態】
以下、本発明の実施の形態を図面を参照して詳細に説明する。
図１は本発明によるデータキャリア脱着型リストバンドの全体構成を示す表側斜視図、図２は本発明によるデータキャリア脱着型リストバンドの全体構成を示す裏側斜視図である。
【００２２】
本発明によるデータキャリア用リストバンド１は、可撓性の帯状バンド２と、この帯状バンド２の中央部に形成されたデータキャリア収納部３およびキー収納部４とを備えている。これら帯状バンド２、データキャリア収納部３およびキー収納部４は、たとえば柔軟な合成樹脂によって一体に形成されている。帯状バンド２は、手首への装着のために一端に取付具５が設けられ、他端側には長手方向中心線に沿って複数の取付孔６が形成されている。
【００２３】
データキャリア収納部３は、キー収納部４の上に重なった状態で形成されている。データキャリア収納部３は、内部に円形のデータキャリア７を収納する空間を有し、帯状バンド２の短手方向の一方の側にデータキャリア挿入口８を有し、その反対側には、データキャリア押出用穴９を有している。データキャリア挿入口８の開口幅は、データキャリア７の直径よりも小さくしてある。データキャリア収納部３は、また、データキャリア挿入口８のある側にデータキャリア収納部延長底面壁１０を有し、そのデータキャリア収納部延長底面壁１０には、データキャリア挿入口８の手前に収納時のデータキャリア７の外周に沿うように突設された突起部１１を有している。この突起部１１は、通常の使用時において、データキャリア７がデータキャリア挿入口８から容易に抜け出てしまわないようにするためのものである。
【００２４】
キー収納部４は、データキャリア収納部３とキー収納部底面壁１２とによってはさまれた収納空間を有し、データキャリア収納部延長底面壁１０の先端部とキー収納部底面壁１２の対応部とに設けられたキー固定具１３によってキー１４が旋回可能に固定されている。
【００２５】
データキャリア用リストバンド１は、また、データキャリア収納部３およびキー収納部４の帯状バンド２との連結部付近に複数個、この実施の形態では、５個ずつの貫通穴１５が設けられている。この貫通穴１５を設けたことにより、その部分の剛性が小さくなって帯状バンド２の屈曲性が良くなるため、装着したときに手首に良くなじむようになり、手首への装着感を増すことができる。
【００２６】
図３はデータキャリア収納部を示す断面図である。
データキャリア収納部３は、データキャリア７の外形に沿って形成された側壁１６を有し、その側壁１６の一部は、データキャリア挿入口８およびデータキャリア押出用穴９によって開口されている。
【００２７】
このデータキャリア収納部３では、データキャリア挿入口８がデータキャリア７の直径よりも小さく形成されているため、一旦データキャリア７をデータキャリア挿入口８から押し込んでしまえば、その中にデータキャリア７を安定して保持することができる。さらに、データキャリア挿入口８とは反対側のデータキャリア押出用穴９から指などを押し込むことによって、収納されているデータキャリア７をデータキャリア挿入口８から容易に押し出すことができる。
【００２８】
図４はデータキャリアを挿入するときの状態を示す断面図、図５はデータキャリアを保持した状態を示す断面図である。
データキャリア７をデータキャリア収納部３に挿入する際は、キー１４をキー収納部４から取り出すことによって、データキャリア収納部延長底面壁１０およびキー収納部底面壁１２の対応部分を図の下方へ撓ませることができる。これにより、データキャリア収納部延長底面壁１０に設けられた突起部１１を、データキャリア７の挿入動線から外すことができるので、データキャリア７を挿入する妨げとはならない。したがって、データキャリア７をデータキャリア挿入口８に容易にアクセスすることができ、そこからデータキャリア７を挿入方向に指などで押すことにより、データキャリア挿入口８両端に位置する可撓性の側壁１６を押し広げながらデータキャリア７を容易に押し込むことができる。
【００２９】
このようにしてデータキャリア収納部３にデータキャリア７が収納された後、データキャリア収納部延長底面壁１０およびキー収納部底面壁１２の対応部分の下方への撓みを解除することにより、突起部１１が元の位置に戻るので、データキャリア挿入口８はその突起部１１によって実質的に塞がれることになり、データキャリア収納部３からデータキャリア７が飛び出てしまうことがなくなる。
【００３０】
さらに、図５に示したように、キー１４を旋回させてキー収納部４に収納することにより、キー１４がデータキャリア収納部３の強力な補強材として働き、人の力で撓ませることは不可能になる。このため、この状態では、突起部１１が障害となって、不用意にデータキャリア７がデータキャリア収納部３から外れるのを確実に防ぐことができる。
【００３１】
図６はキー収納部の断面図、図７はリストバンドの部分底面図である。
キー収納部４のキー収納部底面壁１２は、キー固定具１３がある側と反対側の辺縁部が旋回時におけるキー１４の先端の移動軌跡に沿って弧状に形成されている。キー収納部底面壁１２は、その円弧状辺縁部の全長に亘って帯状バンド２に連結されているのではなく、円弧状辺縁部の中央付近にのみ連結部１７によって部分的に連結されている。図示の例では、中央付近に離間した２つの連結部１７によってキー収納部底面壁１２と帯状バンド２とを連結している。これにより、キー収納部底面壁１２は、帯状バンド２との連結部分が小さく、データキャリア用リストバンド１の屈曲を妨げることがないので、手首へのフィット感を増すことができる。
【００３２】
また、キー収納部底面壁１２は、図７に示したように、収納状態のキー１４が内部で旋回したときに、キー１４の先端が円弧状辺縁部に向いている範囲内ではキー１４が隠れるような大きさの形状を有している。これにより、キー収納部４に収納されたキー１４が多少動いても、キー収納部底面壁１２が大きいため、キー１４がキー収納部底面壁１２からはみ出ることはない。したがって、キー１４が腕を傷つける心配がない。また、サウナでは、高温になった金属製のキー１４が肌に直接触れないため、火傷の心配がない。
【００３３】
【発明の効果】
以上説明したように、本発明では、可撓性の帯状バンドと一体にデータキャリア収納部を備え、そのデータキャリア収納部は、帯状バンドの短手方向の一方にデータキャリアの直径より小さな開口幅の挿入口を有する構成にした。これにより、データキャリアを挿入するときは、押し込むに従い挿入口が広がり、データキャリア収納部に収納が可能になる。また、データキャリア収納部の挿入口の外側にデータキャリアの縁に沿って突起部を設けたので、挿入されたデータキャリアは容易に抜け出ることはない。挿入口と反対側に穴を設けたので、その穴からデータキャリアを押すことで取り出し易くしている。
【００３４】
また、データキャリア収納部と一体にキー収納部を設けるが、キーを回転させてそのキー収納部から出すことで、データキャリアを止めている突起部が動き易くなって屈曲させることができるので、データキャリア収納部に対するデータキャリアの脱着動作を妨げることはない。
【００３５】
データキャリア収納部およびキー収納部と帯状バンドとの結合部に貫通穴を設けたことにより、帯状バンドの剛性が低くなり、容易に屈曲することができるので、帯状バンドの屈曲を妨げず、手首へのフィット感を増すことができる。
【００３６】
さらに、キー収納部のキー収納部底面壁は、キーがキー収納部内で多少動いてもはみ出さない大きさにしたことで、キーによって怪我や火傷の心配がない。
【図面の簡単な説明】
【図１】本発明によるデータキャリア脱着型リストバンドの全体構成を示す表側斜視図
【図２】本発明によるデータキャリア脱着型リストバンドの全体構成を示す裏側斜視図である。
【図３】データキャリア収納部を示す断面図である。
【図４】データキャリアを挿入するときの状態を示す断面図
【図５】データキャリアを保持した状態を示す断面図である。
【図６】キー収納部の断面図
【図７】リストバンドの部分底面図である。
【図８】従来のリストバンドのキー収納部を例示する部分斜視図
【図９】キーの収納状態を示す断面図である。
【図１０】従来のリストバンドのキー収納部を別の構成例を示す部分平面図である。
【図１１】従来のデータキャリアを有するリストバンドの一例を示す分解斜視図である。
【符号の説明】
１　データキャリア用リストバンド
２　帯状バンド
３　データキャリア収納部
４　キー収納部
５　取付具
６　取付孔
７　データキャリア
８　データキャリア挿入口
９　データキャリア押出用穴
１０　データキャリア収納部延長底面壁
１１　突起部
１２　キー収納部底面壁
１３　キー固定具
１４　キー
１５　貫通穴
１６　側壁
１７　連結部
【図１】
2004016303.tif 000003
【図２】
2004016303.tif 000004
【図３】
2004016303.tif 000005
【図４】
2004016303.tif 000006
【図５】
2004016303.tif 000007
【図６】
2004016303.tif 000008
【図７】
2004016303.tif 000009
【図８】
2004016303.tif 000010
【図９】
2004016303.tif 000011
【図１０】
2004016303.tif 000012
【図１１】
2004016303.tif 000013